(57)【要約】【課題】人が指をドア体（障子）と枠との間に挟んだ際に、人が感じる痛みを大幅に軽減できるとともに、怪我を防止できる開口部装置を提供することを目的とする。【解決手段】建物の開口部に設けた枠と、開口部を開閉する障子と、枠に設けられ、障子が開口部を閉じた際に障子と枠との隙間を閉じるタイト材６とを備え、タイト材６が、軟質樹脂材からなり、障子が開口部を閉じた際に障子に当接するヒレ片６ｂａと、熱膨張性耐火材からなり、障子が枠開口部を閉じた際に障子に対向する障子側露出面６ａｉと、障子を閉じる方向に障子側露出面６ａｉから離れた位置で建物の室内に面している室内側露出面６ａｈと、障子側露出面６ａｉと室内側露出面６ａｈとを接続する略凹状の段部６ａｇとが形成された熱膨張性耐火部と、段部６ａｇに設けたクッション部とを有することを特徴とする。【選択図】        図３
2014152535.tif 000002
【特許請求の範囲】
【請求項１】
建物の開口部に設けた枠と、開口部を開閉する障子と、枠に設けられ、障子が開口部を閉じた際に障子と枠との隙間を閉じるタイト材とを備え、
タイト材が、
軟質樹脂材からなり、障子が開口部を閉じた際に障子に当接するヒレ片と、
熱膨張性耐火材からなり、障子が枠開口部を閉じた際に障子に対向する障子側露出面と、障子を閉じる方向に障子側露出面から離れた位置で建物の室内に面している室内側露出面と、障子側露出面と室内側露出面とを接続する略凹状の段部とが形成された熱膨張性耐火部と、
段部に設けたクッション部とを有することを特徴とする開口部装置。
【発明の詳細な説明】
【技術分野】
【０００１】
本発明は、建物の開口部に設けた枠と、開口部を開閉する障子と、枠に設けられ、障子が開口部を閉じた際に障子と枠との隙間を閉じるタイト材とを有する開口部装置に関する。
【背景技術】
【０００２】
一般に、例えば、戸建ての住宅、集合住宅の各部屋の玄関口、あるいは、建物内に設けられた各部屋の出入り口には、玄関口や出入り口を開閉するためのドア装置（開口部装置）が設けられ、玄関口や出入り口をドア装置で閉めることで、建物内や室内を外部から隔てることができるようになっている。
【０００３】
このような玄関口や出入り口に設けたドア装置は、玄関口や出入り口などの開口部に設けた枠と、開口部を開閉するドア体（障子）と、ドア体が開口部を閉じた際に、ドア体と枠との隙間を閉じるタイト材とを有している。
【０００４】
このようなタイト材としては、従来、例えば、特許文献１に開示されたもののように、枠にタイト材を取り付けるための取付部と、この取付部に設けられ、ドア体に当接して隙間を閉じるヒレ片とを有するものがあり、取付部は硬質樹脂で形成されるとともに、ヒレ片は軟質樹脂で形成される。
【先行技術文献】
【特許文献】
【０００５】
【特許文献１】特開平１０−３７６２９号公報
【発明の概要】
【発明が解決しようとする課題】
【０００６】
このような従来装置では、人の指がドア体と枠との間で挟まれると、タイト材の軟質樹脂からなるヒレ片は、指と取付部との間で柔らかくつぶれ、指は、タイト材の硬質樹脂からなる堅い取付部と、例えば、金属などからなる堅いドア体との間で圧迫されることとなり、人は相当の痛みを感じたり、あるいは、怪我を負うという不具合があった。
【０００７】
この発明は、かかる実情に鑑みてなされたものであり、人が指をドア体（障子）と枠との間に挟んだ際に、人が感じる痛みを大幅に軽減できるとともに、怪我を防止できる開口部装置を提供することを目的とする。
【課題を解決するための手段】
【０００８】
この発明は、建物の開口部に設けた枠と、開口部を開閉する障子と、枠に設けられ、障子が開口部を閉じた際に障子と枠との隙間を閉じるタイト材とを備え、タイト材が、軟質樹脂材からなり、障子が開口部を閉じた際に障子に当接するヒレ片と、熱膨張性耐火材からなり、障子が枠開口部を閉じた際に障子に対向する障子側露出面と、障子を閉じる方向に障子側露出面から離れた位置で建物の室内に面している室内側露出面と、障子側露出面と室内側露出面とを接続する略凹状の段部とが形成された熱膨張性耐火部と、段部に設けたクッション部材とを有することを特徴とする。
【発明の効果】
【０００９】
以上説明したように、本発明によれば、人が指を障子と枠との間に挟んだ際に、タイト材に設けたクッション部材が指と枠との間に介在して、衝撃を吸収するので、人が感じる痛みを大幅に軽減できるとともに、怪我を負うことを防止できるという効果を得る。また、ヒレ片に覆われていない熱膨張性耐火部の障子側露出面が、火災の熱で迅速に発泡して、枠と障子との隙間を塞ぐので、火災発生時に早期に可燃性ガスの流通を阻止できるという効果も得る。
【図面の簡単な説明】
【００１０】
【図１】図１は、本発明の一実施例に係る開口部装置（ドア装置）を備えた建物の開口部（玄関口など）を示した概略構成図である。
【図２】図２は、図１のＣ−Ｃ’断面矢視概略図である。
【図３】図３は、タイト材６の構成を説明するための概略断面図である。
【図４】図４は、障子ＤＲを閉じる前のタイト材６の状態を表す概略断面図である。
【図５】図５は、障子を閉じたときのタイト材６の状態をあらわす概略断面図である。
【図６】図６は、本発明の他の実施例に係る竪枠４に設けたタイト材６’の構成を示した概略断面図である。
【図７】図７は、障子ＤＲを閉じる前のタイト材６’の状態を表す概略断面図である。
【図８】図８は、障子を閉じたときのタイト材６’の状態をあらわす概略断面図である。
【発明を実施するための形態】
【００１１】
以下、添付図面を参照しながら、この発明の実施の形態を詳細に説明する。
〔実施例〕
図１は、本発明の一実施例に係る開口部装置（ドア装置）を備えた建物の開口部（玄関口など）を示した概略構成図であり、図２は、図１のＣ−Ｃ’断面矢視概略図である。なお、図１，２において、本発明に直接関係しない開口部装置の各要素（例えば、ドアハンドルやドアクローザーなどの扉開閉機構や鍵機構など）については、図示を省略する。
また、図１においては、図の奥側が開口部装置で仕切られる室内外の室外側であるとともに、図の手前側が室内側であり、図１は、室内側から開口部装置を見込んだ正面図を表している。
【００１２】
この開口部装置は、開口部ＭＭを囲む枠ＦＲと、枠ＦＲを開閉する障子（ドア体）ＤＲからなる。枠ＦＲは、上枠１、下枠２、及び左右の竪枠３，４を四周枠組みして構成されるものである。また、上枠１、下枠２、及び竪枠３，４のおのおのが室内側と室外側の部分に分かれていて、それらの室内側の部分と室外側の部分とを断熱性の高い樹脂部（例えば、発泡ウレタンなどからなる）で接続した断熱サッシ構造を備えている。
【００１３】
例えば、竪枠３，４は、図２に示すように、室外部３ａ，４ａと、室内部３ｂ，４ｂと、竪枠３の室外部３ａと室内部３ｂ及び竪枠４の室外部４ａと室内部４ｂとをそれぞれ接続する発泡ウレタン注型部３ｃ，４ｃとから、それぞれ構成されている。ここで、竪枠３の室外部３ａと室内部３ｂ、及び、竪枠４の室外部４ａと室内部４ｂとは、それぞれ直接接触せず、おのおの発泡ウレタン注型部３ｃ，４ｃを介して連結されているので、竪枠３の室外部３ａと室内部３ｂ、及び、竪枠４の室外部４ａと室内部４ｂとは、熱が伝わりにくい状態となっている（断熱サッシ構造）。
【００１４】
また、竪枠３において、室外部３ａと室内部３ｂは、発泡ウレタン注型部３ｃを形成する発泡ウレタンが充填され固化する空間の外形を規定するとともに発泡ウレタンが固化後の発泡ウレタン注型部３ｃをカシメるカシメ部３ａａとカシメ部３ｂａをそれぞれ有している。このカシメ部３ａａとカシメ部ａｂとで形成される空間は、開口部ＭＭの壁面ＭＭａに向かって開口する隙間Ｇ３ａと、障子ＤＲの方向に向かって開口する隙間Ｇ３ｂとを有し、その隙間Ｇ３ａ，Ｇ３ｂの部分で、竪枠３の室外部３ａと室内部３ｂとが分離している。
【００１５】
同様に、竪枠４において、室外部４ａと室内部４ｂは、発泡ウレタン注型部４ｃを形成する発泡ウレタンが充填され固化する空間の外形を規定するとともに発泡ウレタンが固化後の発泡ウレタン注型部４ｃをカシメるカシメ部４ａａとカシメ部４ｂａをそれぞれ有している。このカシメ部４ａａとカシメ部４ａｂとで形成される空間は、開口部ＭＭの壁面ＭＭａに向かって開口する隙間Ｇ４ａと、障子ＤＲの方向に向かって開口する隙間Ｇ４ｂとを有し、その隙間Ｇ４ａ，Ｇ４ｂの部分で、竪枠４の室外部４ａと室内部４ｂとが分離している。
【００１６】
また、竪枠３の室内部３ｂには、竪枠３と障子ＤＲとの隙間を閉じるタイト材５を取り付けるためのタイト材取付部３ｂｂが設けられ、竪枠４の室内部４ｂには、竪枠４と障子ＤＲとの隙間を閉じるタイト材６を取り付けるためのタイト材取付部４ｂｂが設けられている。これらのタイト材取付部３ｂｂ，４ｂｂは、それぞれタイト材５，６に設けた鏃部（後述）を差し込む差し込み部を有し、その差し込み部におのおのタイト材５，６の鏃部を差し込むことで、タイト材５，６をタイト材取付部３ｂｂ，４ｂｂに取り付ける。
【００１７】
なお、竪枠３の室外部３ａと室内部３ｂとで形成される隙間Ｇ３ｂの開口部、及び、竪枠４の室外部４ａと室内部４ｂとで形成される隙間Ｇ４ｂの開口部には、後述の通り、それぞれタイト材５，６の閉止部（後述）が対向していて、後述するようにタイト材５，６が膨張した際に、この閉止部がそれらの開口部を閉止するようになっている。したがって、タイト材５，６の膨張につれてタイト材５，６の閉止部が隙間Ｇ３ｂ，Ｇ４ｂの開口部を閉止できるような位置関係に、タイト材５，６の取付位置を設定するとよい。
【００１８】
障子ＤＲは、竪骨１１，１２及び横骨（図示略）を組み合わせて形成した枠と、室外に面するパネル１３と室内に面するパネル１４とを取り付けて形成した障子部１５と、パネル１３，１４を竪骨１１，１２に回り込ませた端部を覆うためのエッジ材１７，１８とを有する。障子部１５を枠ＦＲの竪枠３に回動自在に取り付けるための蝶番１６は、十分な強度を有する竪骨１１にネジ止め（図示略）されており、エッジ材１７，１８には、そのネジ止めのネジを貫通させるための孔（図示略）が穿設されている。また、エッジ材１７，１８の室内側の端部には、タイト材５，６のヒレ片（後述）に当接して枠ＦＲと障子ＤＲとの隙間を閉じるための角部１７ａ，１８ａがそれぞれ設けてある。ここに、蝶番１６は、扉開閉機構の構成部材の一つである。
【００１９】
図３は、タイト材６の構成を説明するための概略断面図である。なお、タイト材５は、タイト材６と左右方向に向きが反転した構成であるので説明を省略するが、タイト材５について詳細な説明をする際には、タイト材６に対応する部分に対応する符号を付して、その部分の説明を行うものとする。
図３において、タイト材６は、主として硬質樹脂で形成された硬質部６ａと、ＰＶＣスポンジ等の軟質樹脂で形成された軟質部６ｂの２つのパーツから構成されている。
【００２０】
硬質部６ａは、鏃部６ｃが下面に設けられている基部６ａａと、隙間Ｇ４ｂの開口部に対向した閉止部６ａｂと、基部６ａａの右端と閉止部６ａｂの下端部とを接続する斜め上方向に伸びた傾斜部６ａｃと、閉止部６ａｃの上端から基部６ａａに向かって斜め下方向に伸びた傾斜部６ａｄと、基部６ａａから立ち上がって傾斜部６ａｄの下側の端部と接続する立ち上がり部６ａｅとを有する。そして、これらの基部６ａａ、閉止部６ａｂ、傾斜部６ａｃ，６ａｄ、及び、立ち上がり部６ａｅとで囲まれた中空部６ａｆが形成される。
【００２１】
また、基部６ａａの左端の厚さ分の露出面は、室内に面した室内側露出面６ａｈを形成し、傾斜部６ａｄの上面は、障子ＤＲに対向した露出面である障子側露出面６ａｉを形成する。そして、立ち上がり部６ａｅと基部６ａａとが接続する部分は、室内側露出面６ａｈと障子側露出面６ａｉとを接続する段部６ａｇを形成する。ここで、室内側露出面６ａｈは、障子側露出面６ａｉから障子が閉じる方向Ｇ（見込み方向）に、立ち上がり部６ａｅの立ち上がり寸法だけ少なくとも離れて位置している。
【００２２】
ここで、硬質部６ａの基部６ａａ、閉止部６ａｂ、傾斜部６ａｃ，６ａｄ、及び、立ち上がり部６ａｅは、熱膨張性耐火材の硬質樹脂（例えば、フィブロック（登録商標）など）で形成される。この熱膨張性耐火材の硬質樹脂は、一定の温度以上に加熱されると、その体積が数倍乃至数十倍に膨張するものであり、また、耐火性を備えていて、容易に燃焼しない（難燃性を有する）。
【００２３】
また、タイト材６は、硬質部６ａの基部６ａａ、閉止部６ａｂ、傾斜部６ａｃ，６ａｄ、及び、立ち上がり部６ａｅの熱膨張性耐火材の硬質樹脂を保護するため、それらの部分の表面を軟質性樹脂（例えば、軟質のＰＶＣなど）の膜で被覆する被覆部６ｄを有している。
【００２４】
また、基部６ａａの下面に設けた鏃部６ｃは、竪枠４の室内部４ｂに設けたタイト材取付部４ｂｂに容易に取り付けできるように、被覆部６ｄと同様の軟質樹脂で形成されている。本実施例では、鏃部６ｃと被覆部６ｄとに同じ材料を用いることで、鏃部６ｃと被覆部６ｄとを一体的に成形している。
【００２５】
ＰＶＣスポンジ等の軟質樹脂で形成された軟質部６ｂは、障子側露出面６ａｉから障子側方向（見込み方向）へ離れた位置に設けた薄板状のヒレ片６ｂａと、ヒレ片６ｂａをこの位置に保持するために、硬質部６ａの基部６ａａの上面から立ち上がってヒレ片６ｂａの端部を支持する立ち上げ部６ｂｂと、立ち上げ部６ｂｂの略中央部と段部６ａｇの上端部とを接続する支持部６ｂｃとを有する。そして、立ち上げ部６ｂｂと支持部６ｂｃは、硬質部６ａの段部６ａｇとともに中空部６ｂｄを形成する。
【００２６】
そして、この中空部６ｂｄを囲む立ち上げ部６ｂｂと支持部６ｂｃは、軟質樹脂で形成されていて、人の指などで押し込むと容易に変形するクッション部を形成する。すなわち、本実施例では、立ち上げ部６ｂｂと支持部６ｂｃと中空部６ｂｄとで、硬質部６ａの段部６ａｇに設けたクッション部を構成している。
【００２７】
また、立ち上げ部６ｂｂに接続されるヒレ片６ｂａの基部には、厚さ方向を削って形成したくぼみ６ｂｅを設けている。このように、ヒレ片６ｂａはくぼみ６ｂｅの部分で薄くなっていて、このくぼみ６ｂｅの部分が他の部分よりも弱いので、障子ＤＲを閉じるときに、エッジ材１８の角部１８ａがヒレ片６ｂａに当接し、さらに障子が閉じる方向Ｇに力が加わると、ヒレ片６ｂａはくぼみ６ｂｅの部分で折れ曲がり、ヒレ片６ｂａはエッジ材１８の角部１８ａの移動に伴ってくぼみ６ｂｅを支点として容易に屈曲変形する。
【００２８】
ここで、このヒレ片６ｂａの変形は、くぼみ６ｂｅの強度が他の部分よりも小さいことに起因するので、エッジ材１８の角部１８ａによる力がヒレ片６ｂａに作用すると常にくぼみ６ｂｅの部分で折れ曲がり、したがって、ヒレ片６ｂａの変形態様が一定となり、障子ＤＲと枠ＦＲとの隙間を閉じるタイト材６の機能が安定して発揮される。
【００２９】
ところで、本実施例のタイト材６は、室内側露出面６ａｈと障子側露出面６ａｉとを接続する段部６ａｇの角度を略直角にしているが、この段部６ａｇを滑らかな曲面などの略凹状に形成してもよい。
【００３０】
図４は、障子ＤＲを閉じる前のタイト材６の状態を表す概略断面図であり、図５は、障子を閉じたときのタイト材６の状態をあらわす概略断面図である。
図４に示すように、障子ＤＲを閉じる前では、タイト材６のヒレ片６ｂａには外力が作用していないので、自由状態になっており、この状態では、ヒレ片６ｂａが傾斜部６ａｄの障子側露出面６ａｉから離れている。また、竪枠４の隙間Ｇ４ｂの開口部が閉止部６ａｂにより閉止されている。
【００３１】
また、図５に示すように、障子ＤＲを閉じたときには、上述したとおり、障子ＤＲのエッジ材１８の角部１８ａがタイト材６のヒレ片６ｂａを押すことでヒレ片６ｂａが変形し、その先端部がタイト材６の硬質部６ａの傾斜部６ａｄに突き当たる状態に保持される。
【００３２】
一方、障子ＤＲのエッジ材１８とは反対側は、図２に示すように、エッジ材１７の角部１７ａがタイト材５のヒレ片５ｂａを押すことでヒレ片５ｂａが変形し、その先端部がタイト材５の硬質部５ａの傾斜部５ａｄに突き当たる状態に保持される。
したがって、障子ＤＲと枠ＦＲとの隙間は、タイト材５，６により閉じられ、障子ＤＲで仕切られる室内と室外の間での空気の流通路が遮断され、気密性が保たれる。
【００３３】
そして、このように障子ＤＲを閉じた状態で、室外で火災が発生した場合、火災の熱により枠ＦＲや障子ＤＲが加熱され、さらに、竪枠３，４の室外部３ａ，４ａを伝わった熱により発泡ウレタン３ｃ，４ｃが加熱され、また、障子ＤＲのエッジ材１７，１８を伝わった熱によりタイト材５，６が加熱されて、それらの発泡ウレタン３ｃ，４ｃ及びタイト材５，６の温度が上昇する。
【００３４】
そして、発泡ウレタン３ｃ，４ｃの融点よりも高い温度まで発泡ウレタン３ｃ，４ｃが加熱されると発泡ウレタン３ｃ，４ｃが溶け出し、隙間Ｇ３ａ，Ｇ４ａを通って流れ出す。このとき、隙間Ｇ３ｂ，Ｇ４ｂは、それぞれタイト材５，６の閉止部５ａｂ，６ａｂにより閉止されていれば、溶け出した発泡ウレタン３ｃ，４ｃは、隙間Ｇ３ｂ，Ｇ４ｂから流れ出すことはない。
【００３５】
一方、加熱されたタイト材５，６の硬質部５ａ，６ａが、その硬質部５ａ，６ａを形成する熱膨張性耐火材の硬質樹脂の作用温度（膨張を開始する温度）にまで達すると、タイト材５，６の硬質部５ａ，６ａが数倍乃至数十倍に膨張する。
【００３６】
それにより、膨張した硬質部５ａ，６ａが竪枠３，４の隙間Ｇ３ｂ，Ｇ４ｂを閉塞すると共に、障子ＤＲのエッジ材１７と竪枠３との隙間が膨張した硬質部５ａにより閉塞され、障子ＤＲのエッジ材１８と竪枠４との隙間が膨張した硬質部６ａにより閉塞される。また、このように硬質部５ａ，６ａが膨張した際、発泡ウレタン３ｃ，４ｃが溶け出して中空状態になった空間に、隙間Ｇ３ｂ，Ｇ４ｂに対向した閉止部５ａｂ，６ａｂの膨張性耐火材が膨張して入り込むことで、その空間が膨張性耐火材で埋まり、その部分での気密性が保たれる。
【００３７】
また、室内で火災が発生した場合、火災の熱により、枠ＦＲと障子ＤＲの室内に面した部分の温度、及び、タイト材５，６の室内側露出面５ａｈ，６ａｈの温度が上昇するとともに、枠ＦＲの竪枠３，４の室内部３ｂ，４ｂを伝わった熱により、タイト材５，６の鏃部５ｃ，６ｃおよび発泡ウレタン３ｃ，４ｃの温度が上昇する。
【００３８】
そして、発泡ウレタン３ｃ，４ｃの融点よりも高い温度まで発泡ウレタン３ｃ，４ｃが加熱されると発泡ウレタン３ｃ，４ｃが溶け出すが、上述したように、隙間Ｇ３ｂ，Ｇ４ｂは、それぞれタイト材５，６の閉止部５ａｂ，６ａｂにより閉止されていれば、溶け出した発泡ウレタン３ｃ，４ｃは、隙間Ｇ３ｂ，Ｇ４ｂから流れ出すことはない。
【００３９】
一方、タイト材５，６の硬質部５ａ，６ａは、室内に面した室内側露出面５ａｈ，６ａｈから直接的に火災の熱が伝わるので、室内側露出面５ａｈ，６ａｈの温度が先に上昇し、その後、徐々に硬質部５ａ，６ａの内部の温度が上昇して、硬質部５ａ，６ａの内部の高温の部分が広がっていく。
【００４０】
このように、タイト材５，６の硬質部５ａ，６ａにおいては、室内側露出面５ａｈ，６ａｈの温度が先に上昇し、その室内側露出面５ａｈ，６ａｈの温度が熱膨張性耐火材の硬質樹脂の作用温度（膨張を開始する温度）にまで加熱されると、室内側露出面５ａｈ，６ａｈから硬質部５ａ，６ａの膨張が始まり、硬質部５ａ，６ａの内部の温度上昇に従って、硬質部５ａ，６ａが徐々に膨張する。このとき、硬質部５ａ，６ａの内部が急激に温度上昇すると、硬質部５ａ，６ａが爆発的に急速に膨張する。
【００４１】
それにより、室外で火災が発生した場合と同様に、膨張した硬質部５ａ，６ａが、竪枠３，４の隙間Ｇ３ｂ，Ｇ４ｂ、障子ＤＲのエッジ材１７と竪枠３との隙間、及び、障子ＤＲのエッジ材１８と竪枠４との隙間を閉塞する。またその際に、膨張した閉止部５ａｂ，６ａｂの膨張性耐火材が対向する隙間Ｇ３ｂ，Ｇ４ｂに入り込み、発泡ウレタン３ｃ，４ｃが溶け出して中空状態になった空間を膨張した膨張性耐火材が埋めるので、その部分での気密性が保たれる。
【００４２】
このようにして、室外で火災が発生した場合、及び、室内で火災が発生した場合のいずれの場合においても、熱膨張性耐火材の硬質樹脂の作用温度（膨張を開始する温度）にまでタイト材５，６が加熱されると、膨張した熱膨張性耐火材（硬質部５ａ，６ａ）により、障子ＤＲと枠ＦＲとの隙間が塞がれることとなる。
【００４３】
そこで、熱膨張性耐火材の硬質樹脂の作用温度（膨張を開始する温度）を、発泡ウレタン３ｃ，４ｃやタイト材５，６の軟質部５ｂ，６ｂの融点よりも低い温度に設定することで、発泡ウレタン３ｃ，４ｃや軟質部５ｂ，６ｂが溶け出すよりも早い時点で、タイト材５，６の硬質部５ａ，６ａが膨張し、障子ＤＲと枠ＦＲとの隙間が塞がれるので、タイト材５，６の部分で室内側と室外側とを貫通する貫通路が形成されない。
【００４４】
それとともに、膨張して障子ＤＲと枠ＦＲとの隙間を塞いだ熱膨張性耐火材の硬質樹脂からなるタイト材５，６の硬質部５ａ，６ａは、難燃性であって障子ＤＲや枠ＦＲが高温になった場合でも消失することが無いので、本実施例に係る開口部装置を備えた建物は、火災時に室外から室内に可燃性のガスが流入することを防止できるとともに、火元となった場合には、室内に発生した可燃性のガスを室外に流出させないので、いずれの場合であっても類焼を防止することができる。
【００４５】
次に、図５を参照して、人が戸口で指を挟んだときに感じる痛みの軽減等について説明する。
人が戸口で指を挟むとき、その指を挟むのは障子ＤＲの戸先部１８の角部１８ａと、タイト材６の軟質部６ｂであり、角部１８ａは堅くて変形しないが、軟質部６ｂは柔らかく、指の形に沿って変形する。
したがって、人の指は、堅いものと柔らかいものとの間に挟まれることとなり、また、指はさみが生じた際に、指に伝わる衝撃は、軟質部６ｂが変形することにより吸収されるので、人が感じる痛みは大幅に軽減されると共に、指はさみにより怪我を負う可能性が大幅に小さくなる。
【００４６】
ところで、上述した実施例では、タイト材５，６の硬質部５ａ，６ａに中空部５ａｆ．６ａｆを設けているが、この中空部５ａｆ，６ａｆを設けない構成であっても良い。また、上述した実施例では、タイト材５，６の軟質部５ｂ，６ｂが、硬質部５ａ，６ａの段部５ａｇ，６ａｇに設けたクッション部材とヒレ片５ｂａ，６ｂａとを接続した構成を有していたが、このクッション部材とヒレ片とを分離した構成であっても良い。
【００４７】
図６は、本発明の他の実施例に係る竪枠４に設けたタイト材６’の構成を示した概略断面図である。なお、同図において、図３に示したタイト材６と同一部分及び相当する部分には、同一符号を付している。また、上述した実施例と同様に、竪枠３に設けたタイト材５’は、タイト材６’と左右方向に向きが反転した構成であるので説明を省略するが、タイト材５’について詳細な説明をする際には、タイト材６’に対応する部分に対応する符号を付して、その部分の説明を行うものとする。
図６において、タイト材６’は、主として硬質樹脂で形成された硬質部６ａ’と、ＰＶＣスポンジ等の軟質樹脂で形成された軟質部６ｂ’の２つのパーツから構成されている。
【００４８】
硬質部６ａ’は、図３に示したタイト材６の基部６ａａ、閉止部６ａｂ、傾斜部６ａｃ，６ａｄ、及び、立ち上がり部６ａｅとで囲まれた中空部６ａｆを、基部６ａａ、閉止部６ａｂ、傾斜部６ａｃ，６ａｄ、及び、立ち上がり部６ａｅと同じ熱膨張性耐火材の硬質樹脂で埋めたブロック部６ａａ’と、このブロック部６ａａ’の熱膨張性耐火材の硬質樹脂を保護するため、それらの部分の表面を軟質性樹脂（例えば、軟質のＰＶＣなど）の膜で被覆する被覆部６ｄと、を有している。
【００４９】
また、ブロック部６ａａ’の下面に設けた鏃部６ｃは、竪枠４の室内部４ｂに設けたタイト材取付部４ｂｂに容易に取り付けできるように、被覆部６ｄと同様の軟質樹脂で形成されている。本実施例では、鏃部６ｃと被覆部６ｄとに同じ材料を用いることで、鏃部６ｃと被覆部６ｄとを一体的に成形している。
【００５０】
ＰＶＣスポンジ等の軟質樹脂で形成された軟質部６ｂ’は、障子側露出面６ａｉから障子側方向（見込み方向）へ離れた位置に設けた薄板状のヒレ片６ｂａ’と、硬質部６ａ’の段部６ａｇに設けたクッション部材６ｂｂ’とを有する。
【００５１】
ヒレ片６ｂａ’は、硬質部６ａ’のブロック部６ａａ’の障子側露出面６ａｉに、斜め上方向（障子ＤＲに向かう方向）に向かって伸びた薄板状に形成されており、このヒレ片６ｂａ’が障子側露出面６ａｉに取り付けられている基部の近傍には、厚さ方向を削って形成したくぼみ６ｂｅ’を設けている。
【００５２】
また、クッション部材６ｂｂ’は、硬質部６ａ’の段部６ａｇの上端部から水平に伸びる面と、硬質部６ａ’の室内側露出面６ａｈを上方向に延長した面とを有し、それらの面が交差する部分を面取りした断面形状を有する。このように、面取りすることで、人の指が挟まった場合に、人が感じる痛みをより抑えることができるとともに、怪我を負う可能性をより小さくすることができる。
【００５３】
図７は、障子ＤＲを閉じる前のタイト材６’の状態を表す概略断面図であり、図８は、障子を閉じたときのタイト材６’の状態をあらわす概略断面図である。
図７に示すように、障子ＤＲを閉じる前では、タイト材６’のヒレ片６ｂａ’には外力が作用していないので、自由状態になっており、この状態では、ヒレ片６ｂａ’がブロック部６ａａ’の障子側露出面６ａｉから離れている。また、竪枠４の隙間Ｇ４ｂの開口部が、ブロック部６ａａ’における閉止部６ａｂに対応する部分により閉止されている。
【００５４】
また、図８に示すように、障子ＤＲを閉じたときには、障子ＤＲのエッジ材１８の角部１８ａがタイト材６’のヒレ片６ｂａ’を押すことでヒレ片６ｂａ’が変形し、その先端部がタイト材６’の硬質部６ａ’のブロック部６ａａ’の上部傾斜部に突き当たる状態に保持される。
【００５５】
一方、障子ＤＲのエッジ材１８とは反対側は、図２に示したものと同様に、エッジ材１７の角部１７ａがタイト材５’のヒレ片５ｂａ’を押すことでヒレ片５ｂａ’が変形し、その先端部がタイト材５’の硬質部５ａ’のブロック部５ａａ’の上部傾斜部に突き当たる状態に保持される。
したがって、障子ＤＲと枠ＦＲとの隙間は、タイト材５’，６’により閉じられ、障子ＤＲで仕切られる室内と室外の間での空気の流通路が遮断され、気密性が保たれる。
【００５６】
なお、火災発生時に障子ＤＲと枠ＦＲとの隙間を塞ぐ作用及び効果等については、上述した実施例と同様なので、その説明を省略する。
【００５７】
次に、図８を参照して、人が戸口で指を挟んだときに感じる痛みの軽減等について説明する。
人が戸口で指を挟むとき、その指を挟むのは障子ＤＲのエッジ材１８の角部１８ａと、タイト材６’の軟質部６ｂ’のスポンジ部６ｂｂ’であり、角部１８ａは堅くて変形しないが、スポンジ部６ｂｂ’は柔らかく、指の形に沿って変形する。
【００５８】
したがって、人の指は、堅いものと柔らかいものとの間に挟まれることとなり、また、指はさみが生じた際に、指に伝わる衝撃は、クッション部６ｂｂ’により吸収されるので、人が感じる痛みは大幅に軽減されると共に、指はさみにより怪我を負う可能性が大幅に小さくなる。
【００５９】
以上説明したように、本発明のタイト材は、障子の角部に対向する一画に火災発生時に膨張する熱膨張性耐火材からなる硬質部の段部を設け、その段部を埋めるようにクッション部を設けたことで、指挟みによる痛みや怪我を効果的に防止できると共に、タイト材に占める硬質部の断面積の割合が大きいので、火災発生時に膨張した後の熱膨張耐火材の容積が十分に大きく、それにより、類焼等を防ぐ効果を十分に得ることができる。
【００６０】
ところで、上述した各実施例では、断熱サッシ構造を有する開口部装置に本発明を適用した場合について説明したが、断熱サッシ構造を有しない開口部装置についても、本発明を同様にして適用することができる。
また、上述した各実施例では、枠の室内部と室外部とを発泡ウレタン注型部により連結していたが、このような注型部ではなくて、枠の室内部と室外部とを薄板状の断熱性の高い樹脂板で連結すると共に、室内部と室外部がこの樹脂板をカシメる構造の断熱サッシ構造を有する開口部装置についても、本発明を同様にして適用することができる。
【産業上の利用可能性】
【００６１】
本発明は、建物の開口部を開閉する開口部装置で、障子が開口部を閉じた際に障子と枠との隙間を閉じるタイト材を備えたものであれば、どのようなものにも適用することができる。
【符号の説明】
【００６２】
ＤＲ  障子
ＦＲ  枠
１  上枠
２  下枠
３，４  竪枠
５，６、５’、６’  タイト材
５ａ，６ａ，５ａ’，６ａ’  硬質部
５ｂ，６ｂ，５ｂ’，６ｂ’  軟質部
６ａｈ  室内側露出面
６ａｉ  障子側露出面
６ｂａ，６ｂａ’  ヒレ片
６ｂｂ’  クッション部
【図１】
2014152535.tif 000003
【図２】
2014152535.tif 000004
【図３】
2014152535.tif 000005
【図４】
2014152535.tif 000006
【図５】
2014152535.tif 000007
【図６】
2014152535.tif 000008
【図７】
2014152535.tif 000009
【図８】
2014152535.tif 000010